【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
電子辞書の機能を有する電子機器であって、
入力装置を介して見出し語の入力を受け付ける受付手段と、
見出し語と当該見出し語に関連する関連語句とが対応付けて記憶された記憶装置から、前記入力された見出し語に対応付けられた関連語句を読出す読出手段と、
少なくとも前記入力された見出し語および前記読出された関連語句をキーワードとして、前記記憶装置に記憶されたテレビの電子番組表からテレビ番組を検索する検索手段と、
前記検索されたテレビ番組の画像データを少なくとも前記入力された見出し語に関連付ける関連付手段と、
前記入力された見出し語の本文を表示装置に表示させる指示を受け付けた場合、少なくとも当該見出し語に関連付けられた前記画像データに関するサムネイルと当該見出し語の本文とを表示装置に表示させる表示制御手段とを備える、電子機器。
【請求項２】
電子辞書の機能を有する電子機器であって、
入力装置を介して見出し語の入力を受け付ける受付手段と、
見出し語と当該見出し語の本文とが対応付けて記憶された記憶装置から、前記入力された見出し語についての本文を読出す読出手段と、
前記読出手段が読出した前記本文から名詞を抽出する抽出手段と、
少なくとも前記入力された見出し語および前記抽出した名詞をキーワードとして、前記記憶装置に記憶されたテレビの電子番組表からテレビ番組を検索する検索手段と、
前記検索されたテレビ番組の画像データを少なくとも前記入力された見出し語に関連付ける関連付手段と、
前記入力された見出し語の本文を表示装置に表示させる指示を受け付けた場合、少なくとも当該見出し語に関連付けられた前記画像データに関するサムネイルと当該見出し語の本文とを表示装置に表示させる表示制御手段とを備える、電子機器。
【請求項３】
受信装置を介して受信したテレビ番組を前記記憶装置に録画する録画手段を、さらに備え、
前記画像データは、前記検索されたテレビ番組を前記録画手段にて録画したデータである、請求項１または２に記載の電子機器。
【請求項４】
前記録画が終了した場合、前記関連付手段は、前記画像データを前記キーワードに関連付け、
前記表示制御手段は、前記キーワードを見出し語とした場合における本文を表示装置に表示させる指示を受け付けた場合、少なくとも当該キーワードに関連付けられた前記画像データに関するサムネイルと当該キーワードを見出し語とした場合における本文とを表示装置に表示させる、請求項１から３のいずれか１項に記載の電子機器。
【請求項５】
前記録画された画像データの再生中に、前記表示制御手段が前記入力装置を介した第１の指示を受け付けた場合、前記表示制御手段は、前記キーワードのうちのいずれか１つのキーワードと、当該１つのキーワードを見出し語とした場合における本文とを前記表示装置に表示させる、請求項１から４のいずれか１項に記載の電子機器。
【請求項６】
前記キーワードに基づいてリストデータを生成するとともに、当該生成したリストデータを前記記憶装置に記憶させる生成手段を、さらに備え、
前記表示制御手段が前記入力装置を介した第２の指示を受け付けた場合、前記表示制御手段は、前記記憶装置に記憶された前記リストデータに基づいて前記キーワードのリストを前記表示装置に表示させる、請求項１から５のいずれか１項に記載の電子機器。
【請求項７】
前記生成手段は、前記録画予約がなされたテレビ番組の録画状況を示した状況情報を、当該録画予約がなされたテレビ番組の検索に用いられた前記キーワードに関連付けて、前記キーワード毎に前記記憶装置に記憶させ、
前記表示制御手段は、前記リストを表示する際には、前記リストに含まれたキーワード毎に、前記状況情報に基づいた録画状況に関する表示を行う、請求項６に記載の電子機器。
【請求項８】
電子辞書の機能を有する電子機器における表示制御方法であって、
前記電子機器のプロセッサが、入力装置を介して見出し語の入力を受け付けるステップと、
前記プロセッサが、見出し語と当該見出し語に関連する関連語句とが対応付けて記憶された記憶装置から、前記入力された見出し語に対応付けられた関連語句を読出すステップと、
前記プロセッサが、少なくとも前記入力された見出し語および前記読出された関連語句をキーワードとして、前記記憶装置に記憶されたテレビの電子番組表からテレビ番組を検索するステップと、
前記プロセッサが、前記検索されたテレビ番組の画像データを少なくとも前記入力された見出し語に関連付けるステップと、
前記プロセッサが、前記入力された見出し語の本文を表示装置に表示させる指示を受け付けた場合、少なくとも当該見出し語に関連付けられた前記画像データに関するサムネイルと当該見出し語の本文とを表示装置に表示させるステップとを備える、表示制御方法。
【請求項９】
電子辞書の機能を有する電子機器における表示制御方法であって、
前記電子機器のプロセッサが、入力装置を介して見出し語の入力を受け付けるステップと、
前記プロセッサが、見出し語と当該見出し語の本文とが対応付けて記憶された記憶装置から、前記入力された見出し語についての本文を読出すステップと、
前記プロセッサが、前記読出された前記本文から名詞を抽出するステップと、
前記プロセッサが、少なくとも前記入力された見出し語および前記抽出した名詞をキーワードとして、前記記憶装置に記憶されたテレビの電子番組表からテレビ番組を検索するステップと、
前記プロセッサが、前記検索されたテレビ番組の画像データを少なくとも前記入力された見出し語に関連付けるステップと、
前記プロセッサが、前記入力された見出し語の本文を表示装置に表示させる指示を受け付けた場合、少なくとも当該見出し語に関連付けられた前記画像データに関するサムネイルと当該見出し語の本文とを表示装置に表示させるステップとを備える、表示制御方法。
【請求項１０】
電子辞書の機能を有する電子機器を制御するためのプログラムであって、
入力装置を介して見出し語の入力を受け付けるステップと、
見出し語と当該見出し語に関連する関連語句とが対応付けて記憶された記憶装置から、前記入力された見出し語に対応付けられた関連語句を読出すステップと、
少なくとも前記入力された見出し語および前記読出された関連語句をキーワードとして、前記記憶装置に記憶されたテレビの電子番組表からテレビ番組を検索するステップと、
前記検索されたテレビ番組の画像データを少なくとも前記入力された見出し語に関連付けるステップと、
前記入力された見出し語の本文を表示装置に表示させる指示を受け付けた場合、少なくとも当該見出し語に関連付けられた前記画像データに関するサムネイルと当該見出し語の本文とを表示装置に表示させるステップとを、前記電子機器のプロセッサに実行させる、プログラム。
【請求項１１】
電子辞書の機能を有する電子機器を制御するためのプログラムであって、
入力装置を介して見出し語の入力を受け付けるステップと、
見出し語と当該見出し語の本文とが対応付けて記憶された記憶装置から、前記入力された見出し語についての本文を読出すステップと、
前記読出された前記本文から名詞を抽出するステップと、
少なくとも前記入力された見出し語および前記抽出した名詞をキーワードとして、前記記憶装置に記憶されたテレビの電子番組表からテレビ番組を検索するステップと、
前記検索されたテレビ番組の画像データを少なくとも前記入力された見出し語に関連付けるステップと、
前記入力された見出し語の本文を表示装置に表示させる指示を受け付けた場合、少なくとも当該見出し語に関連付けられた前記画像データに関するサムネイルと当該見出し語の本文とを表示装置に表示させるステップとを、前記電子機器のプロセッサに実行させる、プログラム。